(57)【要約】  ターゲットに向かってクラブでボールを打つゴルフタイプのゲーム用に、ボールの複数の異なる位置各々に対する適切なアライメント及びクラブの選択を生徒に教えるために視覚的な目印を使用する方法。この方法は、一連のマーカーを異なる距離で位置付けすることであって、各距離は、クラブでなされる特定のタイプのストロークを表わすように選ばれることを特徴とすることを含む。該パッティンググリーンの位置から離れて打たれたボールのための着地スポットを表わすように、他のマーカーが該パッティンググリーン上に位置付けされる。その後、ボールがターゲットに達するために移動するための優先経路に沿って、方向を示す矢印が位置付けされる。ボールを打つのに関連する視覚的な基準を作成するためのマーカー及び矢印を使用して、生徒の位置が調整される。【選択図】  図１
2013539711.tif 000002
【特許請求の範囲】
【請求項１】
パッティンググリーン上のターゲット対象に向けてボールを打つために、複数の異なる種類のゴルフクラブによって打つことができる該ボールの利用するゴルフ競技において、該ターゲット対象への距離に基づいて、クラブ及びスイングタイプを選択することをゴルファーに教える方法であって、
該ターゲット対象からの選択された第１の距離で第１の視覚的な目印を置いて、該ターゲット対象に向かって該ボールを打つために該ゴルファーがチッピングストロークを用いるべき第１のゾーンを定義するステップと、
該ターゲット対象からの選択された第２の距離であって、該第１の距離より大きな距離で第２の視覚的な目印を置いて、該ターゲット対象の方へ該ボールを打つために該ゴルファーがピッチタイプのストロークを用いるべき該第１のゾーンを越えた第２のゾーンを定義するステップと、
該ターゲット対象からの選択された第３の距離であって、該第２の距離より大きな距離で第３の視覚的な目印を置いて、該ターゲット対象の方へ該ボールを打つために、該ゴルファーがフルストロークを用いるべき該第２のゾーンを越えた第３のゾーンを定義するステップと、を備える方法。
【請求項２】
該ゴルファーにより該ターゲット対象とのアライメントを促進するために、該定義されたゾーンの各々内で方向を示す複数のマーカーを位置付けすることを含む請求項１に記載の方法。
【請求項３】
該ゾーンの各々からの該ショットの各々のための着地エリアを同定するための該パッティンググリーン上の中間ターゲットマーカーを位置付けすることを含む請求項２に記載の方法。
【請求項４】
ゴルフボールのパッティングのための視覚的な基準を提供するために、ゴルフのパッティンググリーンに方向を示す複数のマーカーを位置付けするステップを含む請求項１に記載の方法。
【請求項５】
パットの距離をコントロールするために、中間ターゲットとしてパッティング位置及びホール（穴）との間の該パッティンググリーンにターゲットマーカーを位置付けするステップを含む請求項４に記載の方法。
【請求項６】
パッティンググリーン上のターゲット対象に向けてボールを打つために、複数の異なる種類のゴルフクラブによって打つことができる該ボールの利用するゴルフ競技において、該ターゲット対象への距離に基づいて、クラブ及びスイングタイプを選択することをゴルファーに教える方法であって、
該ターゲット対象からの選択された第１の距離で第１の視覚的な目印を置いて、該ターゲット対象に向かって該ボールを打つために該ゴルファーがチッピングストロークを用いるべき第１のゾーンを定義するステップと、
該ターゲット対象からの選択された第２の距離であって、該第１の距離より大きな距離で第２の視覚的な目印を置いて、該ターゲット対象の方へ該ボールを打つために該ゴルファーがピッチタイプのストロークを用いるべき該第１のゾーンを越えた第２のゾーンを定義するステップと、
該ゴルファーにより該ターゲット対象とのアライメントを促進するために、該定義されたゾーンの各々内で方向を示す複数のマーカーを位置付けするステップと、を備える方法。
【請求項７】
複数の異なる種類のクラブの１つを使ってボールを打つことにより、パッティンググリーン上のターゲットに向かって該ボールを打つゴルフタイプのゲームにおいて、コース上の該ボールの複数の異なる位置の各々に対する適切なアライメント及びクラブの選択を生徒に教える方法であって、
一連のマーカーを該ターゲットから異なる距離で位置付けするステップであって、各距離は、該クラブから選択された１つでなされる特定のタイプのストロークを表わすように選ばれることを特徴とするステップと、
該パッティンググリーンの位置から離れて打たれたボールのための着地スポットを表わすように該パッティンググリーン上に他のマーカーを位置付けするステップと、
ボールが該ターゲットに達するために移動するための優先経路に沿って方向を示す複数の矢印を位置付けするステップと、
該ボールを打つのに関連する視覚的な基準を作成するための該マーカー及び矢印を使用して該生徒の位置を調整するステップと、を備える方法。
【発明の詳細な説明】
【技術分野】
【０００１】
本発明は、ゴルフスウィングを指導・練習する、特に、パッティング及びショートゲームを指導・練習するための方法及び装置に関する。
【背景技術】
【０００２】
ゴルフのゲームでは、プレーヤーは、フルスウィング又はパーシャルスウィングのいずれかでゴルフクラブをスイングすることが必要とされる。ほとんどのゴルフの練習セッションには、プレーヤーへのフルスウィングの指導が含まれるが、パーシャルスウィングの指導が行われることはほとんどない。パーシャルスウィングは、一般的にノックダウンスウィングと呼ばれるものを時に含むが、本出願においては、パーシャルスウィングは、ロブショット、ピッチショット、チップショット、バンカーショット、及び、パッティングと通例呼ばれるものを意図する。これらのすべては、パットエリア周辺の一部のプレーであり一般的にショートゲームと呼ばれる。ショートゲームが十分なゴルフ競技の上達に不可欠であることは認識されるが、ほとんどの指導者が競技のこの部分に重きを置くことはまずない。
【発明の概要】
【０００３】
本発明は、マーカーによって同定された特定のターゲット領域に矢印を調整してボールを当てることを可能とすることにより、ゴルファーがショートゲームを練習することができ、かつ、いくつかのマーカーの位置によって示されるようなターゲット領域からの距離に基づいてショートゲームの様々なショット中から選択することができるために使用することができる一連のマーカー及び矢印を対象とする。出願人は、パッティンググリーン上のホール（穴）のようなターゲットに向けてボールに打つために自身の位置（アライメント）を調整する試みに直面した場合、多数のゴルファーが見た目に努力を必要とすることを発見している。この問題は、グラウンドの地形あるいは地勢が、ゴルフボールの方向及びスピードに影響を与え得る、小さな丘及び谷を含む場合に、特に悪化する。グリーン上のターゲットホール（穴）に真っ直ぐ向かわない方向を狙ってゴルフボールを打つ方法を「学習する」ことは、アベレージゴルファーにとって困難である。より詳しくは、ゴルフクラブで打った後ボールが移動する経路及び距離に影響を与え得るブレイクを読むことを学習することは、アベレージゴルファーにとって困難である。
【０００４】
ブレイクを読むことを学習する際に、アベレージゴルファーが苦労する困難に加えて、考慮しなければならない他の要因は、ターゲットホール（穴）に最良にアプローチするためにどの種類のショットで打たねばならないかである。ゴルファーがグリーンあるいはパッティング面にいる場合は、パッティングストロークが望ましいことは明白であるが、グリーンにアプローチする場合、ゴルファーには、異なる種類のクラブを使用して、異なる種類のショットを打つ選択肢があり得る。本発明は、ゴルフボール用に所望の軌道に沿って地面に置くことができる、一連の大きく移動可能な矢印を使用することで、ゴルファーがターゲットホール（穴）に集中することよりも軌道に沿ったボールを打つために自身の位置（アライメント）を調整することを可能にする。さらに、本発明は、大きなドットあるいはディスクのような、戦略的な位置に置くことができる一連のマーカーを使用して、ゴルファーがこのような場所からなすべきショットの種類を示し、かつ、ゴルファーの距離知覚を助ける。１つの形式では、マーカーは、ターゲットホール（穴）からの一連の異なる距離に置かれ、その距離の各々がターゲットホール（穴）に対して利用可能なショットの中で特定の１つを選択するための境界を表わすために選択されることを特徴とする。説明の例では、マーカーは有色のディスクである。また、矢印は有色で、様々なサイズがある。ディスクは、異なる色のディスクを使用して、ターゲットホール（穴）からの異なる距離で配置され、ゴルファーに対してディスクによって定義されたゾーン内で実行されるショットの種類を示す。このように、矢印とディスクは、正確さ及びショット選択においてゴルファーを補助する視覚追跡マーカーとして働く。出願人は、矢印及びディスクがゴルファーの奥行知覚を助け、その結果、良好なショットの可能性を増加させることを発見している。さらに、出願人は、視覚的な目印の使用が、ゴルファーがレッスンからの指示を記憶する又は思い出すのを助けることを発見している。
【図面の簡単な説明】
【０００５】
【図１】図１は、ティーボックスからパッティング面に伸びるゴルフ打球面であって、本発明の教示を使用して異なるゾーンに分けられるゴルフ打球面の平面図である。
【０００６】
【図２】図２Ａ及び２Ｂは、パッティングストロークを指導及び練習するための矢印及びマーカーの使用を示す。
【０００７】
【図３】図３は、ゴルフクラブのピッチタイプのスイングを練習及び指導するための矢印及びマーカーの使用を示す。
【０００８】
【図４Ａ】図４Ａは、ゴルフクラブのパッティング、及び／又は、チッピングタイプのスイングを指導及び練習するための矢印及びマーカーの配置を示す。
【０００９】
【図４Ｂ】図４Ｂは、図４Ａの図示された方法で使用するターゲットの１つの形式の斜視図である。
【発明を実施するための形態】
【００１０】
さて、図１に移って、ティーボックス１２（「ティーインググラウンド（ティーグラウンド）」）から、ホール（穴）１６又はターゲット装置１８のようなターゲットが位置するパッティング面もしくはパッティンググリーン１４に伸びる、例示されたゴルフをするエリア１０に適用されるような本発明の１つの実施形態が示される。ティーボックス１２からグリーン１４に伸びるエリア１０は、たいていのゴルファーによって一般的にフェアウェイと呼ばれ、短く刈ったスペース、及び、一般的にラフと呼ばれる、より長い芝生のスペースの組み合わせで構成される。全米ゴルフ協会（ＵＳＧＡ）のゴルフ規則（Ｒｕｌｅｓ  ｏｆ  Ｇｏｌｆ）は、「フェアウェイ」を定義せず、単純に、コース上の各ホールを、ティーインググラウンド、パッティンググリーン、並びに、ティーインググラウンド及びパッティンググリーンの間のすべてのエリアを含む「スルー  ザ  グリーン」エリアに分けることに注意されたい。本説明の目的のため、フェアウェイへの言及は、ティーインググラウンド及びパッティンググリーンの間のすべての領域を意味するものとする。ほとんどのゴルフコースは、芝生で覆われたフェアウェイがあるが、乾燥した気候の地域のコースのような砂によって隔てられる、短く刈った着地エリアがあるコースも数多くある。本発明は、これらの任意の地域での指導に使用されてもよい。
【００１１】
本発明の例では、フェアウェイは、４つのゾーン２０、２２、２４、及び、２６に分けられる。説明しやすくするために、ゾーン２０は、ティーイングゾーンとして定義される。ゾーン２２は、フルスウィングゾーンとして定義される。ゾーン２４は、ピッチングゾーンとして定義される。また、ゾーン２６は、チッピングゾーンとして定義される。また、パッティンググリーン１４上に位置するゾーン２８があり、ここは、パッティングゾーンと呼ばれる。ティーボックス１２によって示されたティーインググラウンドは、プレーヤー／ゴルファーがフルスウィングでゴルフボールを打つ（ストライクする又はヒットする）クラブを選択するくらい、パッティンググリーンから一般的に離れてセットされる。ほとんどのゴルフレッスンでは、このように打つことができるクラブを使用すると仮定される。しかしながら、いったんティーインググラウンドからゴルフボールを打ったら、フルスウィングの使用は制限され、多くの場合、パッティンググリーン上へボールのアプローチするようコントロールするように、制限されたスイングでボールを打つことが必要となる。制限されたスイングは、ピッチショット又はチップショットのいずれかであってもよい。本発明は、第１の一連のマーカー３０と第２の一連のマーカー３２との間のゾーン２２によって示されるように、第２のショットが、フルスウィングを使用してパッティンググリーンの方へなされようとする状況に適合する。ピッチゾーン２４は、マーカー３２と第３の一連のマーカー３４の間で示される。最後に、チッピングゾーン２６は、マーカー３４から始まり、パッティンググリーン１４に伸びる。実際上、有色のマーカーの使用は、ゾーンの各々の異なるレンジ（標的までの距離）を学習するのに有用であることが分かっている。このために、マーカー３０は、好ましくは有色の赤である。マーカー３２は、好ましくは有色の黄色である。また、マーカー３４は、好ましくは有色の緑である。また、マーカー３０、３２、３４、その他は、円、時にディスクと呼ばれるものとして示されるが、これらのマーカーが長方形のような他の形状であり得たと分かるだろう。マーカーのコンセプトは、視覚的な基準を作成することである。また、特定の形状は本発明では重要ではない。
【００１２】
マーカー３０、３２、及び、３４は、特定のタイプのゴルフスウィング又はストロークが行なわれようとするゾーンを表わすために、ゴルフのインストラクターによってセットアップされる。各ストロークに対する実際の距離は、コースの特徴に応じて変化し得る。アベレージゴルファーにとって、ショートゲーム、すなわちフルスウィング未満でゴルフクラブの使用は、通常のゴルフ競技では、一般的にパッティンググリーンからの約１００ヤードから始まる。例えばＳＮＡＧという名前でプロモートされているゲームのような、ゴルフに類似した他の形式のゲームでは、たとえが本明細書で記載した技法よりも実質的に短い距離で、同様に適用可能である。ＳＮＡＧについてより詳細には、米国特許第６，２１７，４５８号、及び、インターネットｗｗｗ．ｓｎａｇｇｏｌｆ．ｃｏｍにおいて利用可能な説明を参照のこと。いかなるゲームが行われていても、ピッチショット及びチップショットは、同じ基礎的定義を有する。ピッチショットはより長く空中にあり、地面にぶつかる際の回転が短い。チップショットは、空中にいる時間がより短く、地面にぶつかる際の回転が多い。空中を移動する距離と地面にぶつかる際にボールが回転する距離の比で、チップショットとピッチショットを区別する。ゴルフのインストラクターは、これらのショットの各々を打つ基礎を指導するためにゴルファーと日常的に練習している。しかし、特にピッチかチップかを選択することに関していえば、アベレージゴルファーが練習をプレーに移すのに苦労することを出願人は発見している。本発明のコンセプトは、グリーンへの適切なアプローチを選択するプロセスを単純化するために、ゴルファーが思い出すことができる視覚的なマーカーを使用することである。本発明の指示に使用された有色のマーカーのような視覚的なマーカーは、口頭指示と関連づけられるようになり、ゴルファーは、思考によってよりうまく距離をショット選択に関連付けることができる。
【００１３】
また、ターゲットに向かってボールを打つために自身の体の位置（向き）を調整すること（アライメント）に関していえば、アベレージゴルファーは、方向に関して努力を必要とし、この位置調整（アライメント）がターゲットからの距離とともに困難になることを出願人は発見している。本発明は、所望のターゲット経路に沿って置くことができる一連の矢印を使用して、この問題を対処し、ゴルファーがこの経路に位置調整（アライメント）することを補助する。図１では、１セットの矢印が３６で示される。図１の実施形態では、ボールがゾーンの各々からパッティンググリーンにぶつかるまで空中にいると仮定される。したがって、矢印３６は、ティーボックスからパッティンググリーンへ一直線状に配置される。フェアウェイがティーボックスからグリーンへカーブするような他の実施形態では、ゴルファーがパッティンググリーンまで複数のショットでボールを導く方法を学習するのを補助するために、矢印が異なる直線状に配置されてもよい。さらに、インストラクターは、各ショットがゴルフホールでなされるべき境界を定義するために、複数のセットの矢印３６を使用してもよい。
【００１４】
図２Ａ及び２Ｂは、パッティングの技法を指導するために、方向を示す矢印がマーカーと併せて使用され得る方法を図示する。図２Ａは、パットがボール位置４０からホール（穴）位置４２への直線に沿うように、パッティンググリーン１４が基本的に平らであると仮定する。目的を教えるため、マーカー４４（「ターゲットスポット」）をボール位置及びホール（穴）との間に置いて、ゴルファーのために中間の照準点を作成する。さらに、矢印４６は、ホール（穴）４２に向かってパットされた場合、ボールが沿うべき所望の軌道のサイドに２つの平行線になるように置かれる。これら矢印は、ゴルファーのための追加のアライメントガイド、及び、パッティングストロークのための方向を示すインジケータを提供する。図２Ｂでは、パッティンググリーン１４は、位置４０から打たれたボールが位置４０からホール（穴）位置４２へのアーチ形の経路に沿う曲線を有すると仮定される。マーカー４４は、カーブするボール軌跡で所望の経路に置かれ、ボールの狙うためのターゲットスポットを形成する。また、矢印４６は、ゴルファーが軌跡とターゲットスポットで位置調整（アライメント）することを補助するために、グリーン上に所望のボール軌跡と平行な経路で置かれる。図２Ａ及び２Ｂの両方では、視覚的なマーカー及び矢印は、パットのための適切なアライメントを教えるゴルファーのための視覚的記憶を作成する。また、マーカー４４は、非常に速いグリーンでも使用されて、ホール（穴）４２を越えずにホール（穴）へとボールを到達させるために、ボールのパッティングに使用されるべき距離を教える。したがって、本システムは、ゴルファーがパッティンググリーン上の方向及び距離の両方を学習するために視覚的な基準を提供する。
本目的は、ボールの移動に必要な正確な軌道に目を向けることである。そしてこれは、意図した軌跡上のクラブヘッドを動かすために筋肉を刺激する。小さな矢印は、ボールがその間を移動するべき経路を確立するために、鉄道線路のようにセットアップされる。マーカー／スポットは、距離を確立する。
【００１５】
図３は、ピッチングゾーン２４内で本発明の１つの使用を示す。ピッチショットは、好ましくは、ボールが空気中を比較的遠くに運ばれ、着地の際、ほとんど移動しない、高く打ち上げられたゴルフショットである。説明の目的のために、ＳＮＡＧ（登録商標）ゴルフのゲームのようなゴルフにおいて本発明の使用について言及していく。ＳＮＡＧボールには面ファスナーに使用されたループ材料に似た外側表面を有し、テニスボールより多少小さい直径を有する。練習用に、ボールは、Ｌａｕｎｃｈ  Ｐａｄ（商標）５０という、基本的にボール５２を支持するのに好都合な平坦面を提供するマットに置かれる。マット５０は、ゴルファーがゴルフスウィングのために位置調整（アライメント）することを補助するための方向を示す矢印５４を含む。追加の矢印５６は、これらの矢印が、交互に色分けされたリングを有する例示のブルズアイタイプのターゲットのようなターゲット５８を指すように、Ｌａｕｎｃｈ  Ｐａｄ  ５０の前、及び、後ろに置かれる。ＳＮＡＧターゲットは、ボール５２がターゲットに当たった時にくっつくように、フック型の材料が張られている。また、ピッチショット用の練習セットアップは、ピッチショットに好適な方位でゴルファーを位置付けするために使用されるアライメントマーカー６０を含んでもよい。スポットマーカー６２は、マーカー６０で位置調整（アライメント）して、マット５０上に常にボール５２を位置付けできるようにする。追加のマーカー６０Ａ及び６２Ａによって示唆されるように、マット５０は、異なる位置に移動できることに注意されたい。上述のように、本目的は、ボールが移動するのに必要な正確な軌道上に目を向けて、意図した軌道上にクラブヘッドを動かすための筋肉を刺激することである。前後の大きな矢印は、ボール飛行のための正確な方向を定義する。
【００１６】
本発明を使用するさらなる他の配置が、図４Ａにおいて示される。ここでは、ターゲット６４が、ＳＮＡＧゴルフで使用されるＲｏｌｌｅｒａｍａ（登録商標）ターゲットとして図示される。ターゲット６４は、図４Ａでシェーディングによって示されるような、異なる色ブロックを有する長方形のターゲットであり、ボール５２が当たった時にターゲットに張り付くように、フック型ファスナーを有する外側カバー材を有する。Ｒｏｌｌｅｒａｍａターゲットの斜視図が、図４Ｂで示される。ターゲット６４は三角に形作られるため、いかなる外部サポートも使用せずに、所望の位置に置くことができる。図４Ａの配置は、パッティング、又は、ボールがパッティンググリーン上で長く回転するチッピングに使用することができる。この配置では、適切なアライメントを教え、かつ、ボールをターゲットに向けて打つために、複列の矢印６６が使用される。図３に記載されるように、マーカー６０は、選択されるボールを打つステーションでのボール５２の位置に関して、ゴルファーの体を適切に位置付けすることを補助するために使用することができる。パッティングストロークを練習するための追加のステーションが、６０Ｂ、６０Ｃ、及び、６０Ｄで示される。チッピング目的のため、ステーション６０Ｂ、６０Ｃ、及び、６０Ｄは、パッティング面から外れた、図１に示されるようなチッピングゾーン内で任意の場所に位置付けされ得る。所望の場合、ボールは、図３に記載されるＬａｕｎｃｈ  Ｐａｄマットのようなマット上に位置付けされてもよい。図２Ｂに関して記載されるように、所望の着地点を同定する矢印及びマーカーは、グリーン上でボールがどのように回転するか予想するべきかをゴルファーに見た目に示すように矢印を位置付けすることにより、生徒のゴルファーがパッティンググリーンのブレイク又はカーブを「読む」ことを補助するように配置されてもよい。
【００１７】
本説明は、ゴルファーが、ゴルフコース上で様々な状況で用いられるショットの種類を選択する際に使用するのに役立つゴルファーへの視覚的な基準を提供するためのシステムである。出願人は、このような視覚的な基準によって、ゴルフのストロークを教えて、かつ、ターゲットエリアからの距離に基づいて、よりよいショットを選択するために使用されるレッスンをゴルファーがよりよく思い出すことができることを発見している。矢印は、ゴルファーがゴルフショットのための適切なアライメントを思い出すのにも役立つ視覚的な基準を提供する。
【図１】
2013539711.tif 000003
【図２】
2013539711.tif 000004
【図３】
2013539711.tif 000005
【図４Ａ】
2013539711.tif 000006
【図４Ｂ】
2013539711.tif 000007
【国際調査報告】
2013539711.tif 000008